(57)【要約】      （修正有）【課題】止水ボスにより外部からの水の流れ込みを阻止することができ、防水斜面は、防水構造に流れ込んだ水を斜面の方向に沿って流出させることで、積水を防ぐことができ、それにより簡易的な構造で防水の作用効果を奏する防水構造を提供する。【解決手段】該防水構造は、止水ボス４１、防水斜面４２、及び直立の固定仕切り片４３を備え、前記防水斜面は前記止水ボスと前記固定仕切り片との間に位置し、前記止水ボスから前記固定仕切り片までにかけての高さが徐々に低下する。従来のコンテナ、プレハブ住宅又は物置箱において防水構造が設けられていなく、ケース内への水の流れ込みを効果的に克服できないという問題が解決できる。【選択図】図１
0003221692.tif 000002
【実用新案登録請求の範囲】
【請求項１】
止水ボス、防水斜面、及び直立の固定仕切り片を備え、前記防水斜面が前記止水ボスと前記固定仕切り片との間に位置し、前記止水ボスから前記固定仕切り片までにかけての高さが徐々に低下する、ことを特徴とする防水構造。
【請求項２】
前記防水構造の両側にそれぞれ塞ぎ板が固定して設置される、ことを特徴とする請求項１に記載の防水構造。
【請求項３】
前記防水構造は折り曲げ加工によって成型される、ことを特徴とする請求項１に記載の防水構造。
【請求項４】
前記防水構造はプレス加工によって成型される、ことを特徴とする請求項１に記載の防水構造。
【考案の詳細な説明】
【技術分野】
【０００１】
本考案は防水構造の分野に関し、特に防水構造に関する。
【背景技術】
【０００２】
防水効果に対する要求が高い各装置において、通常、粘着テープにより防水が行われているが、粘着テープの防水効果が劣っている一方、防水効果がよくて取り付けが便利な防水構造が設けられていないため、常に水が装置内に流れ込むとの問題を引き起こし、経済的に損失をもたらせる。
【考案の概要】
【考案が解決しようとする課題】
【０００３】
本考案は、上記従来技術の問題点である粘着テープによる防水効果が劣っていることを鑑みてなされたものであり、防水構造を提供する。本考案は主に止水ボスにより、外部から水が流れ込むのを阻止することができ、防水斜面が防水構造に流れ込んだ水を斜面の方向に沿って流出させることで、積水を防ぐことができ、簡易的な構造により防水の作用効果を奏する。
【課題を解決するための手段】
【０００４】
本考案の技術的手段は、以下の通りである。
本考案の防水構造は、止水ボス、防水斜面及び直立の固定仕切り片を備え、前記防水斜面は前記止水ボスと前記固定仕切り片との間に位置し、前記止水ボスから前記固定仕切り片までにかけての高さが徐々に低下する。
さらに、前記防水構造の両側にそれぞれ塞ぎ板が固定して設置されている。
さらに、前記防水構造は折り曲げ加工によって成型される。
さらに、前記防水構造はプレス加工によって成型される。
【考案の効果】
【０００５】
従来技術に比べて、本考案の利点は以下の通りである。
本考案に係る防水構造は、コンテナ、プレハブ住宅又は物置箱の開口箇所に取付けることができ、止水ボスにより外部の水がケースの内部へ流れ込むのを阻止することができ、防水斜面は、防水構造に流れ込んだ水を斜面の方向に沿って流出させることで、積水を防ぐことができ、防水効果が良くて、取付けが便利である。
【０００６】
以上のように、本考案の技術手段によれば、止水ボスにより外部からの水の流れ込みを阻止することができ、防水斜面は、防水構造に流れ込んだ水を斜面の方向に沿って流出させることで、積水を防ぐことができ、それにより簡易的な構造で防水の作用効果を奏する。したがって、本考案の技術手段により従来技術の問題点である粘着テープによる防水効果が劣っているとの技術課題を解決することができる。
【０００７】
上述の記述に基づき、本考案はコンテナ、プレハブ住宅又は物置箱の防水構造の分野において広く利用されることができる。
【０００８】
本考案の実施例または従来技術の技術手段をより一層明らかに説明するため、以下、実施例または従来技術に対する説明における図面について、簡単に説明する。以下の図面は本考案の一部の実施例を示すものであり、当業者にとって、創造的な労働を行うことなく、これらの図面に基づいて他の図面が得られることは明らかである。
【図面の簡単な説明】
【０００９】
【図１】本考案に係る前記防水構造を示す概略図である。
【図２】前記コンテナの構造を示す概略図である。
【図３】図２のＡ部を拡大した図である。
【考案を実施するための形態】
【００１０】
コンフリクトがない場合、本考案における実施例及び実施例の特徴を互いに組み合わせることが可能である。以下、本考案を、図面を参考しながら実施の形態により、詳しく説明する。
【００１１】
本考案の実施例の目的、技術手段及び利点をより明確にするために、以下、本考案の実施例における図面を参考し、本考案の実施例における技術手段を明らかで完全に説明する。なお、説明する実施例は全部の実施例ではなく、本考案に係る一部の実施例だけであることは明らかである。以下、少なくとも一つの例示的な実施例に対する説明は実際的には説明的なものであり、本考案及びその応用または使用についていかなる制限をするものではない。本考案の実施例に基づいて、当業者により創造的な労働を行わず、得られたすべての他の実施例はいずれも本実用新案登録請求の範囲に属するべきである。
【００１２】
ここで使用されている用語はただ具体的な実施形態を説明するためのものであり、本考案による例示的な実施形態の制限になることを意図しない。文脈上はっきり指摘されていない限り、ここで使用する単数形は複数形も含むとのことを理解すべきである。なお、本明細書において用語「含み」又は／及び「備え」が使用された場合、それは特徴、ステップ、操作、部品、構成部品及び／又はそれらの組合せがあることを意味するということを理解すべきである。
【００１３】
別途に具体的に説明されていない限り、これらの実施例に記載の部品とステップの相対的な配置、数字の表現式及び数値は、本考案の範囲を制限しない。同時に、説明の便宜上、図面に示した各部分の寸法は、実際の割合によって描かれていないことは明らかである。当業者にとって、既知の技術、方法及び設備については詳しく説明しないこともあるが、適当な状況では、前記技術、方法及び設備は許可された明細書の一部に含まれると見なされるべきである。ここで示され、及び説明された例におけるいかなる具体的な値は、ただ例示的なものであると解釈されるべきであり、制限になるものではない。
したがって、例示的な実施例の他の例において異なる値が用いられてもよい。類似した符号とアルファベットは後述した図面において類似したものを示すため、一旦、あるものが一つの図面で定義されると、他の図面においてさらに説明する必要はない。
【００１４】
本考案の記載において、「前、後、上、下、左、右」、「横向き、縦向き、垂直、水平」及び「トップ、底」等が示す方位または位置関係は、通常、図面に示す方位または位置関係に基づいたものであり、それは本考案に対して便宜で簡単に説明を行うためであり、反対の説明がない場合、それらの方位用語は、当該装置または素子が必ず規定の方位または規定の方位での構造と操作を有するとのことを指示及び暗示するのではなく、したがって、本実用新案登録請求の範囲を制限するものと理解されるべきでない。方位用語である「内」、「外」は各部品本身の輪郭の内と外を指す。
【００１５】
説明の便宜上、相対空間的な用語、例えば「……の上に」、「……上方に」、「……上面に」、「上の……」等を用いて、図中に示すような一つの部品または特徴がほかの部品または特徴との空間的な位置関係を説明してもよい。なお、相対空間的な用語とは、部品の図面における方位以外の、使用中または操作中の異なる方位を含むことを理解すべきである。例えば、図面に示す部品が倒置されると、「ほかの部品または構造の上方に」または「ほかの部品または構造の上に」の部品であると記載した後で、「ほかの部品または構造の下方に」または「ほかの部品または構造の下に」と定位される。したがって、例示的な用語である「……上方に」には「……上方に」と「……下方に」との二者の方位が含まれる。該部品もそのほかの方式（回転９０度またはほかの方位に位置）での定位が可能であり、ここで使用される相対空間的な説明について相応の解釈を行う。
【００１６】
なお、「第一」、「第二」などの用語を用いて部品を限定するのは、ただ便宜上、対応する部品に対する区別にすぎないが、別の説明がなければ、上記の用語は特別な意味を持たなく、したがって、本実用新案登録請求の範囲を制限するものと理解されるべきでない。
【００１７】
（実施例１）
図１に示すように、本考案の実施形態に係る防水構造４は、止水ボス４１、防水斜面４２及び直立の固定仕切り片４３を備え、前記防水斜面４２は前記止水ボス４１と前記固定仕切り片４３との間に位置し、前記止水ボス４１から前記固定仕切り片４３までにかけての高さが徐々に低下する。
さらに、前記防水構造４は折り曲げ加工によって成型される。
【００１８】
図２〜３に示すように、本考案に係る前記防水構造４が適用されるコンテナは、コンテナ開口１、コンテナ底板２及びコンテナフレームの底部ビーム３を備え、前記コンテナ底板２は前記コンテナの内部の底面に敷設され、前記コンテナフレームの底部ビーム３は前記コンテナ開口１の底部に位置し、前記コンテナフレームの底部ビーム３は前記コンテナ底板２の前記コンテナ開口１に向く一端の前方に位置し、前記コンテナ底板２は前記コンテナフレームの底部ビーム３より高い。前記止水ボス４１の後面は前記コンテナ底板２の前記コンテナ開口１に向く一端に溶接され、前記止水ボス４１は前記コンテナ底板２より高い。前記固定仕切り片４３は前記コンテナフレームの底部ビーム３の上部に溶接される。
【００１９】
本考案に係る前記防水構造４が適用されるコンテナにおいて、前記コンテナ開口１の箇所に前記防水構造４を設置し、前記固定仕切り片４３を介して前記防水構造４を前記コンテナフレームの底部ビーム３に固定させ、且つ前記コンテナ底板２より高くように設けられた前記止水ボス４１により、水が外部からコンテナの内部に流入するのを阻止できる。また、前記防水斜面４２は防水構造に流れ込んだ水を斜面の方向に沿って流出させることができ、積水を防ぐことができる。前記防水構造４は、防水効果がよく、取り付けも便利である。
【００２０】
（実施例２）
本実施例において、実施例１と異なるのは、前記防水構造４の両側にはそれぞれ塞ぎ板４４が固定して設置され、これにより水が前記防水構造の側面から前記防水斜面４２の下に流入することが防止できる。
さらに、前記防水構造４はプレス加工によって成型される。
【００２１】
上記の各実施例はただ本考案の技術手段について説明するために用いたものであり、本考案を制限するものではない。上述した各実施例を参照して本考案について詳しく説明したが、上述した各実施例に記載の技術手段に対しての修正、及び一部又は全部の技術的特徴に対しての均等物置換は可能であり、それら修正や置換は、対応する技術手段の本質が本考案の実施例における技術手段の範囲から逸脱することなく、なしうることは、当業者に理解されよう。
【符号の説明】
【００２２】
１  コンテナ開口
２  コンテナ底板
３  コンテナフレームの底部ビーム
４  防水構造
４１  止水ボス
４２  防水斜面
４３  固定仕切り片
４４  塞ぎ板
【図１】
0003221692.tif 000003
【図２】
0003221692.tif 000004
【図３】
0003221692.tif 000005